【事件の表示】
　特許第３２０５８０４号「ノーセパレータラベル」の請求項１ないし４に係る特許に対する特許異議の申立てについて、次のとおり決定する。
【結　論】
　訂正を認める。
　特許第３２０５８０４号の請求項１ないし４に係る特許を維持する。
【理　由】
１．手続の経緯
　特許第３２０５８０４号の請求項１〜４に係る発明についての出願は、平成１０年３月４日に特許出願され、平成１３年７月６日にその発明について特許権の設定登録がなされ、その後、寺尾健吾により特許異議の申立てがなされ、取消しの理由が通知され、その指定期間内である平成１４年６月１３日に願書に添付した明細書の訂正の請求がなされ、さらに訂正拒絶の理由が通知され、その指定期間内である平成１４年８月２３日に訂正請求書及び訂正請求書に添付した訂正した明細書（以下、訂正明細書という。）について補正がなされたものである。
　
２．訂正の適否
（１）訂正請求書及び訂正明細書の補正について
　特許権者が請求する訂正請求書の補正は、【請求項５】を追加するとした「訂正事項ｂ」を削除するというものであり、訂正明細書の補正は、上記訂正請求書の補正に対応して、【請求項５】を削除するものである。
　上記補正は訂正事項の削除に該当するから、訂正請求書の要旨を変更するものではない。
　したがって、上記補正は特許法第１２０条の４第３項において準用する特許法第１３１条第２項の要件を満足する。
（２）訂正の内容
　特許権者が求めている訂正の内容は以下ａ、ｃ及びｄのとおりである。
ア．訂正事項ａ
　特許請求の範囲の請求項４に「前記単一のノーセパレータラベルの積層構造は、ラベル基材と剥離層の間にサーマル層を設けたもの、ラベル基材と剥離層の間にインクリボンを備えたもの若しくはラベル基材を備えることなく剥離層と粘着剤層のみから成る積層構造としたことを特徴とする請求項１乃至３のいずれか１項に記載のノーセパレータラベル。」とある記載を、「前記単一のノーセパレータラベルの積層構造は、ラベル基材と剥離層の間にサーマル層を設けたもの
からなる
イ．訂正事項ｃ
　明細書第１０段落に「さらに、前記単一のノーセパレータラベルの積層構造は、ラベル基材と剥離層の間にサーマル層を設けたもの、ラベル基材と剥離層の間にインクリボンを備えたもの若しくはラベル基材を備えることなく剥離層と粘着剤層のみから成る積層構造としたことを特徴とする請求項１乃至３のいずれか１項に記載のノーセパレータラベルとしてもよい。」とある記載を、「さらに、前記単一のノーセパレータラベルの積層構造は、ラベル基材と剥離層の間にサーマル層を設けたもの
からなる
さらに、前記単一のノーセパレータラベルの積層構造は、ラベル基材を備えることなく剥離層と粘着剤層のみから成る積層構造としたことを特徴とするノーセパレータラベルとしてもよい。
ウ．訂正事項ｄ
　明細書第１４段落に「その積層構造の例を示すと、図は省略してあるが、ラベル基材と剥離層の間にサーマル層を設けたもの、ラベル基材と剥離層の間にインクリボンを備えたもの、さらにはラベル基材を備えることなく、剥離層と粘着剤層のみから成る積層構造等がある。」とある記載を、「その積層構造の例を示すと、図は省略してあるが、ラベル基材と剥離層の間にサーマル層を設けたもの
や、
（３）訂正の目的の適否、新規事項の有無、及び特許請求の範囲の拡張・変更の存否
ア．訂正事項ａについて
　訂正事項ａは、特許請求の範囲の請求項４において、採用されるノーセパレータラベルの積層構造が、「ラベル基材と剥離層の間にサーマル層を設けたもの、ラベル基材と剥離層の間にインクリボンを備えたもの若しくはラベル基材を備えることなく剥離層と粘着剤層のみから成る積層構造」と、３つの積層構造のうちから１つを択一的に採用するものであったのを、「ラベル基材と剥離層の間にサーマル層を設けたものからなる」と、３つのうちの１つに限定するものである。
　そうすると、訂正事項ａは、願書に添付した明細書及び図面（以下、「特許明細書」という。）に記載された範囲内において積層構造を限定するものであるといえるから、特許請求の範囲の減縮を目的としたものであって、新規事項の追加には該当しない。
イ．訂正事項ｃ、ｄについて
　訂正事項ｃ、ｄは、訂正事項ａによって請求項４を訂正することに伴い、発明の詳細な説明の対応する部分を訂正後の請求項４に整合させるものであるから、明りょうでない記載の釈明を目的としたものであって、新規事項の追加には該当しない。
　そして、訂正事項ａ、ｃ及びｄのいずれも、実質上特許請求の範囲を拡張し、又は変更するものでない。
（４）むすび
　以上のとおりであるから、上記訂正は、特許法第１２０条の４第２項及び同条第３項において準用する特許法第１２６条第２項及び第３項の規定に適合するので、当該訂正を認める。
　
３．特許異議申立について
（１）本件発明
　上記２．で示したように上記訂正が認められるから、特許第３２０５８０４号の請求項１〜４に係る発明（以下、本件発明１〜４という。）は、補正された訂正明細書及び図面の記載からみて、特許請求の範囲の請求項１〜４に記載された次のとおりのものと認める。
（本件発明１）
「ラベル基材の表面に剥離層を有すると共に裏面に粘着剤層を有する単一のノーセパレータラベルであって、その形状が円形、四角形若しくは変形であり、該単一のノーセパレータラベルの一端と他の単一のノーセパレータラベルの一端とを付着し、さらにこの付着した単一のノーセパレータラベルの他端と他の単一のノーセパレータラベルの一端とを付着することを順次行うことにより、単一のノーセパレータラベルを連結してロール状に巻回したことを特徴とするノーセパレータラベル。」
（本件発明２）
「前記単一のノーセパレータラベルの剥離層の一端に他の単一のノーセパレータラベルの粘着剤層の一端を付着し、さらにこの付着した単一のノーセパレータラベルの剥離層の他端に他の単一のノーセパレータラベルの粘着剤層の一端を付着することを順次行うことにより、単一のノーセパレータラベルを連結してロール状に巻回したことを特徴とする請求項１記載のノーセパレータラベル。」
（本件発明３）
「前記単一のノーセパレータラベルの粘着剤層の一端に他の単一のノーセパレータラベルの剥離層の一端を付着し、さらにこの付着した単一のノーセパレータラベルの粘着剤層の他端に他の単一のノーセパレータラベルの剥離層の一端を付着することを順次行うことにより、単一のノーセパレータラベルを連結してロール状に巻回したことを特徴とする請求項１記載のノーセパレータラベル。」
（本件発明４）
「前記単一のノーセパレータラベルの積層構造は、ラベル基材と剥離層の間にサーマル層を設けたものからなることを特徴とする請求項１乃至３のいずれか１項に記載のノーセパレータラベル。」
（２）特許異議申立ての概要
　特許異議申立人・寺尾健吾は、証拠方法として
甲第１号証（実願平１−６７８７７号（実開平３−８３７６号）のマイクロフイルム）、
甲第２号証（特公昭５１−４１８８９号公報）、
甲第３号証（実願昭５３−２０２９３号（実開昭５４−１２４４９９号）のマイクロフイルム）、
甲第４号証（「ラベル新聞」第６８３号、平成１０年１月１日発行、第９面）、
甲第５号証（特開昭６０−５４８４２号公報）
を提出し、
本件発明１〜３は、甲第１〜４号証に記載された発明に基づいて当業者が容易に発明をすることができたものであり、本件発明４は、甲第１〜５号証に記載された発明に基づいて当業者が容易に発明をすることができたものであって、特許法第２９条第２項の規定により特許を受けることができないものであるから、また、請求項４は、「ラベル基材」の存在を前提とする請求項１〜３を引用するものであるが、本件発明４は「ラベル基材」の存在を前提としないもの故に自己矛盾を生じていて発明が明確でなく、特許法第３６条第６項の規定により特許を受けることができないものであるから、本件発明１〜４についての特許は、特許法第１１３条第２号及び第４号に該当し、取り消されるべきものである旨主張している。
（３）甲各号証
　甲第１号証には、「表面Ａの上部には書き込み部分１ａを有し、下部には連結部分１ｂを有したラベル本体１を設け、該本体１の裏面Ｂには、中央部に縦方向に一定の幅の弱粘着剤層２を設けたことを特徴とするラベル。」（実用新案登録請求の範囲）が第１〜４図とともに記載され、「第３図に示すように、上のラベル（１）の連結部分（１ｂ）に、下のラベル書き込み部分（１ａ）の裏面を連結し、これらラベルを複数枚連結して接着すれば、裏面（Ｂ）の弱粘着剤層（２）は第４図のようになり、各ラベルにそれぞれ弱粘着剤層（２）が露出しているため確実に台紙等に固定できるものである」（明細書第３頁第５〜１１行）と記載されている。
　甲第２号証には、「基材シート層と、その一面上に設けられた顔料とそのためのバインダーとからなる層と、この顔料層の上に設けられたシリコーン樹脂層と、上記の基材シート層の他面に設けられた粘着剤層とを具えた粘着シートを上記シリコーン樹脂層が表にくるように巻取ってなる粘着シート巻取からなり、上記のシリコーン樹脂層が微細不連続状態で存在して、シリコーン樹脂部分がそこに接触している粘着剤層との間のはく離性を担保すると共にシリコーン樹脂欠除部が印刷インキ受理性を担保するようにしたことを特徴とする印字性とはく離性とを有する巻取られた粘着シート。」（請求項１）が第１〜４図とともに記載され、「粘着ラベルは、基本的には、印字性を有する表面を有する基材シート層・・・とその裏面に設けた粘着剤層とからなり、・・・印字面が表にくるように巻き取った形態（巻取）につくられる。」（第１頁右欄第１３〜１７行）、「はく離紙不要に基く経済的利益を大きく享受することができる」(第２頁左欄第４０〜４１行）と記載されている。
　甲第３号証には、「シリコン樹脂加工を施した長状片の表面に糊膜層を形成してこの糊膜層に、ラベル単票の一端部のみが貼着するように下方ラベル単票よりも上方ラベル単票を少し前方にずらして順次重ね定着したことを特徴とする多数ラベル仮着台紙。」（実用新案登録請求の範囲）が第１〜４図とともに記載され、「特に全体を第４図示の如く渦巻き状にしておく」（明細書第３頁第１５〜１６行）と記載されている。
　甲第４号証には、「セパレータのないラベルを研究していこうと、・・・取り組んでいます。・・・ラベルからセパを取った商品ということで『セパレスラベル』と命名し・・ています」（第１段）、「ある程度型抜きができますので、四角だけでなく角丸など変形ラベルを供給できます」(第４段）、「形もデザインも自由自在で、きれいにカットできる」(第７段)、「ラベルプリンタについては・・・当社の場合ラベルにミシン目を入れ、たたいてカットしている」（第７段）と記載されている。
　甲第５号証には、「支持体の表面側に感熱発色剤層、障壁層及び剥離層が順次配設されており、裏面側に下塗層を介し若しくは介さずに粘着剤層が設けられている感熱発色粘着ラベルにおいて、該剥離層の主成分が紫外線硬化型若しくは電子線硬化型のシリコーン樹脂であり、且つ硬化されたものであることを特徴とする感熱発色粘着ラベル。」（請求項１）が記載されている。
（４）対比・判断
ア．本件発明１について
　本件発明１と甲第１号証に記載の発明（以下、証拠番号に対応して引用発明１のようにいう。）とを対比すると、少なくとも、 引用発明１は、第３図の説明として「上のラベル（１）の連結部分（１ｂ）に、下のラベル書き込み部分（１ａ）の裏面を連結し、これらラベルを複数枚連結して接着すれば、・・・確実に台紙等に固定できる」と記載されるように、個別の「ラベル（１）」を使用時に台紙へ連結して固定したものであって、最初からラベル（１）が連結されているものではなく、本願発明１のように「単一のノーセパレータラベルを連結してロール状に巻回したノーセパレータラベル」とするものではないから、両者は、本件発明１が、「単一のノーセパレータラベルの一端と他の単一のノーセパレータラベルの一端とを付着し、さらにこの付着した単一のノーセパレータラベルの他端と他の単一のノーセパレータラベルの一端とを付着することを順次行うことにより、単一のノーセパレータラベルを連結してロール状に巻回した」「ノーセパレータラベル」であるのに対して引用発明１においては、その様なノーセパレータラベルではない点で相違している。　
　
　そこで上記相違点につき検討する。
　引用発明２は、「基材シート層と、一面に設けられたシリコーン樹脂層と、他面に設けられた粘着剤層とを具えた粘着シートを上記シリコーン樹脂層が表にくるように巻取ってなる粘着シート巻取」であって、はく離紙（セパレータ）は有していないものの、「基材シート層」すなわち「粘着ラベル」は重なり部分を有することなく連なっており、個別に分かれているものではないから、「単一のノーセパレータラベルを連結し」たものとはいえない。
　引用発明３は、「ラベル単票を少し前方にずらして順次重ね定着」し、「渦巻き状に」するものであるが、「多数ラベル仮着台紙」にそれぞれの「ラベル単票を」「順次重ね定着」したものを巻回するのであって、「仮着台紙」を用いずに「単一のノーセパレータラベルの一端と他の単一のノーセパレータラベルの一端とを付着し、さらにこの付着した単一のノーセパレータラベルの他端と他の単一のノーセパレータラベルの一端とを付着することを順次行」い「連結してロール状に巻回した」ものとはいえない。
　引用発明４は、「セパレータのないラベル」であるが、甲第４号証に「ラベルプリンタ」が「カットしている」と記載されるように、ラベル使用時に「カット」して切り離すものであって、「単一のノーセパレータラベルの一端と他の単一のノーセパレータラベルの一端とを付着」「することを順次行うことにより、単一のノーセパレータラベルを連結し」たものではない。
　引用発明５は、「感熱発色粘着ラベル」の層構造に係るものであって、「単一のノーセパレータラベルの一端と他の単一のノーセパレータラベルの一端とを付着し、さらにこの付着した単一のノーセパレータラベルの他端と他の単一のノーセパレータラベルの一端とを付着することを順次行うことにより、単一のノーセパレータラベルを連結してロール状に巻回した」「ノーセパレータラベル」ではない。
　してみると、甲第２〜５号証が上記相違点を示唆するものであるということはできない。
　そして、本件発明１は、「単一のノーセパレータラベルの一端と他の単一のノーセパレータラベルの一端とを付着し、さらにこの付着した単一のノーセパレータラベルの他端と他の単一のノーセパレータラベルの一端とを付着することを順次行うことにより、単一のノーセパレータラベルを連結してロール状に巻回した」「ノーセパレータラベル」とすることにより、明細書記載の個々単一のノーセパレータラベルの形状が自由なラベル形状とすることができ、分離したとき、元の綺麗な単一の形状を保つことができるという効果を奏するものである。
　そうすると、本件発明１は、甲第１〜５号証に記載された発明に基づいて当業者が容易に発明をすることができたものとすることはできない。
イ．本件発明２〜４について
　本件発明２〜４は、本件発明１の構成要件を全て含み、さらに他の構成要件を付加したものであるから、上記３．（４）ア．で記載したと同様の理由により、甲第１〜５号証に記載された発明に基づいて当業者が容易に発明をすることができたものとすることはできない。
　また、訂正の結果、本件発明４は、「ラベル基材」の存在を前提とするものであることが明らかとなっており、発明が不明確であるとはいえない。
（５）むすび
　以上のとおりであるから、本件発明１〜４についての特許は、特許異議申立ての理由及び証拠方法によっては取り消すことはできない。
　また、他に本件発明１〜４についての特許を取り消すべき理由を発見しない。
　よって、結論のとおり決定する。
【異議決定日】
平成１４年１０月１６日（２００２．１０．１６）
【訂正の要旨】
訂正の要旨
ア．訂正事項ａ
　特許請求の範囲の請求項４に「前記単一のノーセパレータラベルの積層構造は、ラベル基材と剥離層の間にサーマル層を設けたもの、ラベル基材と剥離層の間にインクリボンを備えたもの若しくはラベル基材を備えることなく剥離層と粘着剤層のみから成る積層構造としたことを特徴とする請求項１乃至３のいずれか１項に記載のノーセパレータラベル。」とある記載を、「前記単一のノーセパレータラベルの積層構造は、ラベル基材と剥離層の間にサーマル層を設けたもの
からなる
イ．訂正事項ｂ
　明細書第１０段落に「さらに、前記単一のノーセパレータラベルの積層構造は、ラベル基材と剥離層の間にサーマル層を設けたもの、ラベル基材と剥離層の間にインクリボンを備えたもの若しくはラベル基材を備えることなく剥離層と粘着剤層のみから成る積層構造としたことを特徴とする請求項１乃至３のいずれか１項に記載のノーセパレータラベルとしてもよい。」とある記載を、「さらに、前記単一のノーセパレータラベルの積層構造は、ラベル基材と剥離層の間にサーマル層を設けたもの
からなる
さらに、前記単一のノーセパレータラベルの積層構造は、ラベル基材を備えることなく剥離層と粘着剤層のみから成る積層構造としたことを特徴とするノーセパレータラベルとしてもよい。」
ウ．訂正事項ｃ
　明細書第１４段落に「その積層構造の例を示すと、図は省略してあるが、ラベル基材と剥離層の間にサーマル層を設けたもの、ラベル基材と剥離層の間にインクリボンを備えたもの、さらにはラベル基材を備えることなく、剥離層と粘着剤層のみから成る積層構造等がある。」とある記載を、「その積層構造の例を示すと、図は省略してあるが、ラベル基材と剥離層の間にサーマル層を設けたもの
や、
（５４）【発明の名称】
ノーセパレータラベル
（５７）【特許請求の範囲】
　【請求項１】ラベル基材の表面に剥離層を有すると共に裏面に粘着剤層を有する単一のノーセパレータラベルであって、その形状が円形、四角形若しくは変形であり、該単一のノーセパレータラベルの一端と他の単一のノーセパレータラベルの一端とを付着し、さらにこの付着した単一のノーセパレータラベルの他端と他の単一のノーセパレータラベルの一端とを付着することを順次行うことにより、単一のノーセパレータラベルを連結してロール状に巻回したことを特徴とするノーセパレータラベル。
　【請求項２】前記単一のノーセパレータラベルの剥離層の一端に他の単一のノーセパレータラベルの粘着剤層の一端を付着し、さらにこの付着した単一のノーセパレータラベルの剥離層の他端に他の単一のノーセパレータラベルの粘着剤層の一端を付着することを順次行うことにより、単一のノーセパレータラベルを連結してロール状に巻回したことを特徴とする請求項１記載のノーセパレータラベル。
　【請求項３】前記単一のノーセパレータラベルの粘着剤層の一端に他の単一のノーセパレータラベルの剥離層の一端を付着し、さらにこの付着した単一のノーセパレータラベルの粘着剤層の他端に他の単一のノーセパレータラベルの剥離層の一端を付着することを順次行うことにより、単一のノーセパレータラベルを連結してロール状に巻回したことを特徴とする請求項１記載のノーセパレータラベル。
　【請求項４】前記単一のノーセパレータラベルの積層構造は、ラベル基材と剥離層の間にサーマル層を設けたもの
からなる
【発明の詳細な説明】
　【０００１】
　【発明の属する技術分野】本発明は、セパレータ（剥離紙）を不要としたノーセパレータラベルの単一の形状が四角形に限定されることなく、変形ラベルにすることも可能としたノーセパレータラベルに関するものである。
　【０００２】
　【従来の技術】従来から、ラベルプリンタを用いてラベルの表面に印字を施すことが行われている。このラベルプリンタで印字を行うには、帯状に形成したラベルをロール状にしてラベルプリンタに装填する必要がある。
　【０００３】また、従来、上記のようなラベルにおいては、剥離紙（セパレータ）を必要としていたが、この剥離紙を不要とすることにより、使用時に剥離紙を剥す手間をなくし、環境問題にも適合するようにしたノーセパレータラベルと称せられるものが開発されている。
　【０００４】このようなノーセパレータラベルは、通常、帯状のラベル基材の表面と裏面に剥離層と粘着剤層とを設けた構成とされている。
　【０００５】
　【発明が解決しようとする課題】ところが、上記の帯状ラベルにおいては、図６に示すように、帯状ラベル７の個々の印刷物の境界にミシン目８を施した構成としてあり、使用する際には、ミシン目８で分離することにより単独のラベル９として添付可能にしている。
　【０００６】従って、従来の帯状ラベル７は、分離された単独のノーセパレータラベル９の形状が四角形に限定され、円形やそれ以外の変形ラベルを連続的に形成してラベルプリンタに装填可能なロール状に巻回したものは作成不可能とされていた。
　【０００７】本発明は、上記の問題点を解消するために成されたもので、剥離紙を不要としたノーセパレータラベルの単一の形状が四角形に限定されることなく、変形ラベルにすることも可能であり、この単一ラベルをロール状に巻回したノーセパレータラベルを提供することを目的とする。
　【０００８】
　【課題を解決するための手段】上記の目的を達成するために、本発明のノーセパレータラベルは、ラベル基材の表面に剥離層を有すると共に裏面に粘着剤層を有する単一のノーセパレータラベルであって、その形状が円形、四角形若しくは変形であり、該単一のノーセパレータラベルの一端と他の単一のノーセパレータラベルの一端とを付着し、さらにこの付着した単一のノーセパレータラベルの他端と他の単一のノーセパレータラベルの一端とを付着することを順次行うことにより、単一のノーセパレータラベルを連結してロール状に巻回したものである。
　【０００９】また、前記単一のノーセパレータラベルの剥離層の一端に他の単一のノーセパレータラベルの粘着剤層の一端を付着し、さらにこの付着した単一のノーセパレータラベルの剥離層の他端に他の単一のノーセパレータラベルの粘着剤層の一端を付着することを順次行うことにより、単一のノーセパレータラベルを連結してロール状に巻回した構成としてもよい。
　【００１０】また、前記単一のノーセパレータラベルの粘着剤層の一端に他の単一のノーセパレータラベルの剥離層の一端を付着し、さらにこの付着した単一のノーセパレータラベルの粘着剤層の他端に他の単一のノーセパレータラベルの剥離層の一端を付着することを順次行うことにより、単一のノーセパレータラベルを連結してロール状に巻回した構成としてもよい。さらに、前記単一のノーセパレータラベルの積層構造は、ラベル基材と剥離層の間にサーマル層を設けたもの
からなる
さらに、前記単一のノーセパレータラベルの積層構造は、ラベル基材を備えることなく剥離層と粘着剤層のみから成る積層構造としたことを特徴とするノーセパレータラベルとしてもよい。
　【００１１】
　【発明の実施の形態】以下、本発明の実施例について図面を参照しながら説明する。
　【００１２】図１は本発明による単一のノーセパレータラベルをロール状に巻回した斜視図である。
　【００１３】個々の単一のノーセパレータラベル１は、図３または図５に示すように、ラベル基材２の表面に剥離層３が設けられ、裏面に粘着剤層４が設けられている。ただし、本発明においては、他の積層構造によって構成してもよく、少なくとも表面に剥離層３が設けられ、裏面に粘着剤層４が設けられたものであれば、本発明に適用可能である。
　【００１４】その積層構造の例を示すと、図は省略してあるが、ラベル基材と剥離層の間にサーマル層を設けたもの
や、
　【００１５】また、本実施例においては、上記のノーセパレータラベル１が円形の単一形状に形成されている。この単一のノーセパレータラベル１の形状は、図２のような円形に限定されず、四角形のほか、種々の変形ラベルにしてもよい。
　【００１６】本発明は、上記のような表面に剥離層３を有すると共に裏面に粘着剤層４を有する単一のノーセパレータラベル１の一端と他の単一のノーセパレータラベル１の一端とを付着し、さらにこの付着した単一のノーセパレータラベル１の他端と他の単一のノーセパレータラベル１の一端とを付着することを順次行うことにより、単一のノーセパレータラベル１、１…を連結してロール状に巻回したものである。
　【００１７】この連結の方法としては、少なくとも二つの方法がある。一つは、図２または図３に示すように、単一のノーセパレータラベル１の剥離層３の一端に他の単一のノーセパレータラベル１の粘着剤層４の一端を付着し、さらにこの付着した単一のノーセパレータラベル１の剥離層３の他端に他の単一のノーセパレータラベル１の粘着剤層４の一端を付着することを順次行うことにより、単一のノーセパレータラベル１を長手方向に連続的に連結した構成したものである。
　【００１８】この場合、単一のノーセパレータラベル１の表面を成す剥離層３の上面に、次の単一のノーセパレータラベル１の裏面を成す粘着剤層４が付着されるという連結構成を成すため、端末の単一のノーセパレータラベル１ａをその前の単一のノーセパレータラベル１ｂから分離する作業は、端末の単一のノーセパレータラベル１ａをその前の単一のノーセパレータラベル１ｂから上方（矢印Ｙで示す方向）へ剥離する作業となる。
　【００１９】さらに他の連結方法としては、図４または図５に示すように、単一のノーセパレータラベル１の粘着剤層４の一端に他の単一のノーセパレータラベル１の剥離層３の一端を付着し、さらにこの付着した単一のノーセパレータラベル１の粘着剤層４の他端に他の単一のノーセパレータラベル１の剥離層３の一端を付着することを順次行うことにより、単一のノーセパレータラベル１を長手方向に連続的に連結した構成としたものである。
　【００２０】この場合、単一のノーセパレータラベル１の裏面を成す粘着剤層４の下面に、次の単一のノーセパレータラベル１の表面を成す剥離層３が付着されるという連結構成を成すため、端末の単一のノーセパレータラベル１ａをその前の単一のノーセパレータラベル１ｂから分離する作業は、何らかの面に接着した端末の単一のノーセパレータラベル１ａからその前の単一のノーセパレータラベル１ｂを上方（矢印Ｙで示す方向）へ剥離する作業となる。
　【００２１】なお、単一のノーセパレータラベル１を順次連結する方法を上記のように示したが、本発明はこれに限定されず、図示は省略してあるが、他に単一のノーセパレータラベル１の剥離層３の一端に他の単一のノーセパレータラベル１の粘着剤層４の一端を付着し、さらにこの付着した単一のノーセパレータラベル１の粘着剤層４の他端に他の単一のノーセパレータラベル１の剥離層３の一端を付着することを順次行うことにより、上下面が交互に付着された単一のノーセパレータラベル１の連結構成を得ることも可能である。
　【００２２】図２乃至図５において、単一のノーセパレータラベル１を他の単一のノーセパレータラベル１に付着した付着部５の幅Ｔは自由に設定可能であるが、連結された多数のノーセパレータラベル１をロール状に巻回したとき、個々のノーセパレータラベル１、１…の弾力によって剥離しない程度の幅にする必要がある。
　【００２３】このような構成において、多数のノーセパレータラベル１、１…を図２または図３、図４または図５に示すように帯状に連結した場合、個々のノーセパレータラベル１の裏面に粘着剤層４が露出した状態となる。そこで、この連結されたノーセパレータラベル１、１…を図１に示すようにロール状に巻回することにより、裏面の粘着剤層４が、先に巻回された表面の剥離層３に付着され、こうして一個のロール状ラベル６が構成され、ラベルプリンタ等への装填が可能になる。
　【００２４】また、本発明によるノーセパレータラベルは、単一のノーセパレータラベル１の粘着剤層４が他の単一のノーセパレータラベル１の剥離層３に付着されているため、個々の単一のノーセパレータラベル１を剥離することが容易である。この剥離された単一のノーセパレータラベル１においては、従来のミシン目で分離可能とされたラベルとは異なり、端部にミシン目の跡が残ることなく、元の奇麗な単一の形状として使用することが可能である。
　【００２５】
　【発明の効果】以上説明したように、本発明のノーセパレータラベルは、表面に剥離層を有すると共に裏面に粘着剤層を有する単一のノーセパレータラベルの一端と他の単一のノーセパレータラベルの一端とを付着し、さらにこの付着した単一のノーセパレータラベルの他端と他の単一のノーセパレータラベルの一端とを付着することを順次行うことにより、連続的に連結されたノーセパレータラベルを形成したものであるから、個々の単一のノーセパレータラベルの形状が従来のように四角形に限定されることなく、自由なラベル形状とすることができる。
　【００２６】また、個々の単一のノーセパレータラベルに分離したとき、従来のようにミシン目の跡などを残すことがなく、元の奇麗な単一の形状を保つことができる。
【図面の簡単な説明】
　【図１】本発明による単一のノーセパレータラベルを連結してロール状に巻回した斜視図である。
　【図２】本発明によるノーセパレータラベルの連結状態の一方法を示す平面図である。
　【図３】本発明によるノーセパレータラベルの連結状態の一方法を示す断面図である。
　【図４】本発明によるノーセパレータラベルの連結状態の他の方法を示す平面図である。
　【図５】本発明によるノーセパレータラベルの連結状態の他の方法を示す断面図である。
　【図６】従来の帯状のラベルをロール状に巻回した斜視図である。
　【符号の説明】
　１…ノーセパレータラベル
　２…ラベル基材
　３…剥離層
　４…粘着剤層
　５…付着部
　６…ロール状ラベル